(57)【要約】【課題】  ＭＢＳＦＮデータ送信とユニキャストデータ送信とが混在する場合でも、消費電力の増大を防ぐことが可能な携帯端末装置を提供する。【解決手段】  携帯端末装置（１）は、少なくともＭＢＭＳのサービス受信状況及びユニキャスト受信状況からＭＢＳＦＮサブフレームにおいてユニキャストデータが送信される可能性を判定する判定手段（制御チャネル復調復号部１２、ＰＤＳＣＨ・ＰＭＣＨ復調復号部１３、ＭＢＭＳタイミング管理部１４）と、判定手段の判定結果に応じてユニキャストデータ用のチャネル推定処理の制御を行う制御手段（チャネル推定部１１、ＭＢＭＳタイミング管理部１４）とを備えている。【選択図】      図１
2011176511.tif 000002
【特許請求の範囲】
【請求項１】
少なくともＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）のサービス受信状況及びユニキャスト受信状況からＭＢＳＦＮ（ＭＢＭＳ  ｏｖｅｒ  ａ  Ｓｉｎｇｌｅ−Ｆｒｅｑｕｅｎｃｙ  Ｎｅｔｗｏｒｋ）サブフレームにおいてユニキャストデータが送信される可能性を判定する判定手段と、
前記判定手段の判定結果に応じて前記ユニキャストデータ用のチャネル推定処理の制御を行う制御手段とを有することを特徴とする携帯端末装置。
【請求項２】
前記ＭＢＭＳのスケジューリング情報を保持しかつ該当ＭＢＳＦＮサブフレームにおいて前記ＭＢＭＳがスケジューリングされていた場合に該当ＭＢＳＦＮサブフレームにおいて前記ユニキャストデータが送信されることがないと判定された場合に前記ユニキャスト用のチャネル推定を停止することを特徴とする請求項１記載の携帯端末装置。
【請求項３】
前記ＭＢＭＳのスケジューリング情報を保持せずかつ前ＭＢＳＦＮサブフレームでユニキャストデータを受信していた場合に前記ユニキャスト用のチャネル推定を実施することを特徴とする請求項２記載の携帯端末装置。
【請求項４】
前記ＭＢＭＳのスケジューリング情報を保持せずかつ前ＭＢＳＦＮサブフレームでユニキャストデータを受信しておらず、さらに該当ＭＢＳＦＮサブフレームの８〜１５サブフレーム前に受信したユニキャストデータでＣＲＣ（Ｃｙｃｌｉｃ  Ｒｅｄｕｎｄａｎｃｙ  Ｃｈｅｃｋ）結果がＮＧとなっていてかつ再送データを未受信の場合にユニキャスト用チャネル推定を実施し、当該ユニキャストデータが存在しなかった場合に前記ユニキャスト用のチャネル推定を停止することを特徴とする請求項３記載の携帯端末装置。
【請求項５】
携帯端末装置が、少なくともＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）のサービス受信状況及びユニキャスト受信状況からＭＢＳＦＮ（ＭＢＭＳ  ｏｖｅｒ  ａ  Ｓｉｎｇｌｅ−Ｆｒｅｑｕｅｎｃｙ  Ｎｅｔｗｏｒｋ）サブフレームにおいてユニキャストデータが送信される可能性を判定する判定処理と、前記判定処理の判定結果に応じて前記ユニキャストデータ用のチャネル推定処理の制御を行う制御処理とを実行することを特徴とする消費電力削減方法。
【請求項６】
前記携帯端末装置が、前記ＭＢＭＳのスケジューリング情報を保持しかつ該当ＭＢＳＦＮサブフレームにおいて前記ＭＢＭＳがスケジューリングされていた場合に該当ＭＢＳＦＮサブフレームにおいて前記ユニキャストデータが送信されることがないと判定された場合に前記ユニキャスト用のチャネル推定を停止することを特徴とする請求項５記載の消費電力削減方法。
【請求項７】
前記携帯端末装置が、前記ＭＢＭＳのスケジューリング情報を保持せずかつ前ＭＢＳＦＮサブフレームでユニキャストデータを受信していた場合に前記ユニキャスト用のチャネル推定を実施することを特徴とする請求項６記載の消費電力削減方法。
【請求項８】
前記携帯端末装置が、前記ＭＢＭＳのスケジューリング情報を保持せずかつ前ＭＢＳＦＮサブフレームでユニキャストデータを受信しておらず、さらに該当ＭＢＳＦＮサブフレームの８〜１５サブフレーム前に受信したユニキャストデータでＣＲＣ（Ｃｙｃｌｉｃ  Ｒｅｄｕｎｄａｎｃｙ  Ｃｈｅｃｋ）結果がＮＧとなっていてかつ再送データを未受信の場合にユニキャスト用チャネル推定を実施し、当該ユニキャストデータが存在しなかった場合に前記ユニキャスト用のチャネル推定を停止することを特徴とする請求項７記載の消費電力削減方法。
【請求項９】
携帯端末装置内の中央処理装置に実行させるプログラムであって、
少なくともＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）のサービス受信状況及びユニキャスト受信状況からＭＢＳＦＮ（ＭＢＭＳ  ｏｖｅｒ  ａ  Ｓｉｎｇｌｅ−Ｆｒｅｑｕｅｎｃｙ  Ｎｅｔｗｏｒｋ）サブフレームにおいてユニキャストデータが送信される可能性を判定する判定処理と、前記判定処理の判定結果に応じて前記ユニキャストデータ用のチャネル推定処理の制御を行う制御処理とを含むことを特徴とするプログラム。
【発明の詳細な説明】
【技術分野】
【０００１】
本発明は携帯端末装置及びそれに用いる消費電力削減方法並びにそのプログラムに関し、特にＬＴＥ（Ｌｏｎｇ  Ｔｅｒｍ  Ｅｖｏｌｕｔｉｏｎ）でチャネル推定にかかる消費電力を削減する方法に関する。
【背景技術】
【０００２】
移動通信システムにおけるデータ送信方法としては、基地局と携帯端末装置との間で１対１で行うユニキャスト（ｕｎｉｃａｓｔ）通信と、基地局から複数の携帯端末装置に対して同じデータを同時に送信するＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）とがある（例えば、特許文献１参照）。
【０００３】
ＭＢＭＳでは、ブロードキャストメッセージサービスや高速ビデオストリーミングサービスを可能としている。また、ＭＢＭＳでは、複数の基地局から同じＭＢＭＳデータが送信される場合、携帯端末装置が複数の基地局からの同じＭＢＭＳデータをソフト合成することにより、ＭＢＭＳデータを高品質に受信することができる［いわゆる、ＭＢＳＦＮ（ＭＢＭＳ  ｏｖｅｒ  ａ  Ｓｉｎｇｌｅ−Ｆｒｅｑｕｅｎｃｙ  Ｎｅｔｗｏｒｋ）］。
【０００４】
３ＧＰＰ（３ｒｄ  Ｇｅｎｅｒａｔｉｏｎ  Ｐａｒｔｎｅｒｓｈｉｐ  Ｐｒｏｊｅｃｔ）  Ｒｅｌ１０（Ｒｅｌｅａｓｅ  １０）では、ＭＢＳＦＮサブフレーム（ｓｕｂｆｒａｍｅ）においてＭＢＳＦＮデータが送信されない場合、通常のユニキャストデータ送信を可能とすることが合意されている。
【先行技術文献】
【特許文献】
【０００５】
【特許文献１】特開２００９−２６７９８８号公報（段落「０００２」，「０００３」）
【発明の概要】
【発明が解決しようとする課題】
【０００６】
しかしながら、上記のデータ送信における受信方法では、端末がＰＤＣＣＨ（Ｐｈｙｓｉｃａｌ  Ｄｏｗｎｌｉｎｋ  Ｃｏｎｔｒｏｌ  Ｃｈａｎｎｅｌ）を復号して初めてユニキャストデータが送信されてきたことがわかるため、そこからチャネル推定処理等を行うと、時間的に復号処理が間に合わず、事前にユニキャストデータ受信を想定したチャネル推定とＭＢＭＳデータ受信を想定したチャネル推定との双方を実施しておく必要がある。そのため、上記のデータ受信方法では、消費電力が増大するという問題がある。
【０００７】
また、上記のデータ受信方法では、事前にユニキャスト用のチャネル推定も実施しておく必要があるが、チャネル推定値の補間等を考慮すると、ユニキャストデータが送信されていた場合と送信されていなかった場合、さらにはＭＢＳＦＮ用のチャネル推定との並列処理となるため、消費電力が増大する。
【０００８】
そこで、本発明の目的は上記の問題点を解消し、ＭＢＳＦＮデータ送信とユニキャストデータ送信とが混在する場合でも、消費電力の増大を防ぐことができる携帯端末装置及びそれに用いる消費電力削減方法並びにそのプログラムを提供することにある。
【課題を解決するための手段】
【０００９】
本発明による携帯端末装置は、少なくともＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）のサービス受信状況及びユニキャスト受信状況からＭＢＳＦＮ（ＭＢＭＳ  ｏｖｅｒ  ａ  Ｓｉｎｇｌｅ−Ｆｒｅｑｕｅｎｃｙ  Ｎｅｔｗｏｒｋ）サブフレームにおいてユニキャストデータが送信される可能性を判定する判定手段と、
前記判定手段の判定結果に応じて前記ユニキャストデータ用のチャネル推定処理の制御を行う制御手段とを備えている。
【００１０】
本発明による消費電力削減方法は、携帯端末装置が、少なくともＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）のサービス受信状況及びユニキャスト受信状況からＭＢＳＦＮ（ＭＢＭＳ  ｏｖｅｒ  ａ  Ｓｉｎｇｌｅ−Ｆｒｅｑｕｅｎｃｙ  Ｎｅｔｗｏｒｋ）サブフレームにおいてユニキャストデータが送信される可能性を判定する判定処理と、前記判定処理の判定結果に応じて前記ユニキャストデータ用のチャネル推定処理の制御を行う制御処理とを実行することを特徴とする。
【００１１】
本発明によるプログラムは、携帯端末装置内の中央処理装置に実行させるプログラムであって、
少なくともＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）のサービス受信状況及びユニキャスト受信状況からＭＢＳＦＮ（ＭＢＭＳ  ｏｖｅｒ  ａ  Ｓｉｎｇｌｅ−Ｆｒｅｑｕｅｎｃｙ  Ｎｅｔｗｏｒｋ）サブフレームにおいてユニキャストデータが送信される可能性を判定する判定処理と、前記判定処理の判定結果に応じて前記ユニキャストデータ用のチャネル推定処理の制御を行う制御処理とを含むことを特徴とする。
【発明の効果】
【００１２】
本発明は、上記のような構成及び動作とすることで、ＭＢＳＦＮデータ送信とユニキャストデータ送信とが混在する場合でも、消費電力の増大を防ぐことができるという効果が得られる。
【図面の簡単な説明】
【００１３】
【図１】本発明の実施の形態による携帯端末装置の構成例を示すブロック図である。
【図２】本発明の実施の形態に用いるＭＢＳＦＮサブフレームにおいてＭＢＭＳデータが送信された場合の配置例を示す図である。
【図３】本発明の実施の形態に用いるＭＢＳＦＮサブフレームにおいてユニキャストデータが送信された場合の配置例を示す図である。
【図４】３ＧＰＰ  Ｒｅｌ９以前のＭＢＳＦＮサブフレームの構成を示す図である。
【図５】３ＧＰＰ  Ｒｅｌ１０でのＭＢＳＦＮサブフレームの構成を示す図である。
【図６】本発明の実施の形態による消費電力削減処理の流れを示すフローチャートである。
【発明を実施するための形態】
【００１４】
次に、本発明の実施の形態について図面を参照して説明する。まず、本発明による携帯端末装置の概要について説明する。本発明による携帯端末装置は、ＬＴＥ（Ｌｏｎｇ  Ｔｅｒｍ  Ｅｖｏｌｕｔｉｏｎ）でチャネル推定にかかる消費電力を削減する手段を有している。
【００１５】
この消費電力を削減する手段は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）のサービス受信状況、ユニキャスト（ｕｎｉｃａｓｔ）受信状況等からＭＢＳＦＮ（ＭＢＭＳ  ｏｖｅｒ  ａ  Ｓｉｎｇｌｅ−Ｆｒｅｑｕｅｎｃｙ  Ｎｅｔｗｏｒｋ）サブフレーム（ｓｕｂｆｒａｍｅ）においてユニキャストデータが送信される可能性を判定し、ユニキャストデータ用チャネル推定処理の制御を行い、消費電力の低減を行っている。
【００１６】
これによって、本発明による携帯端末装置は、ＭＢＳＦＮデータ送信とユニキャストデータ送信とが混在する場合でも、消費電力の増大を防ぐことができる。
【００１７】
図１は本発明の実施の形態による携帯端末装置の構成例を示すブロック図である。図１において、携帯端末装置１は、チャネル推定部１１と、制御チャネル復調復号部１２と、ＰＤＳＣＨ（Ｐｈｙｓｉｃａｌ  Ｄｏｗｎｌｉｎｋ  Ｓｈａｒｅｄ  Ｃｈａｎｎｅｌ）・ＰＭＣＨ（Ｐｈｙｓｉｃａｌ  Ｍｕｌｔｉｃａｓｔ  Ｃｈａｎｎｅｌ）復調復号部１３と、ＭＢＭＳタイミング管理部１４とを含んで構成されている。尚、携帯端末装置１の無線通信系、各種処理系、入出力系、制御系それぞれの構成及び動作は、よく知られているのでその説明を省略する。
【００１８】
チャネル推定部１１は、受信データからチャネル推定値を計算する。ＭＢＳＦＮサブフレームにおいては、ＭＢＭＳ用のチャネル推定もしくはＭＢＭＳタイミング管理部１４の指示に応じてユニキャスト用チャネル推定処理を行う。
【００１９】
制御チャネル復調復号部１２は、制御チャネルの復調復号を行う。制御チャネル復調復号部１２は、制御チャネルの復号結果からＭＢＭＳが送信されるタイミングをＭＢＭＳタイミング管理部１４に報告する。
【００２０】
ＰＤＳＣＨ・ＰＭＣＨ復調復号部１３は、ユニキャストデータ、ＭＢＭＳデータの復調復号を行う。ＰＤＳＣＨ・ＰＭＣＨ復調復号部１３は、復調、復号したデータの種類（ユニキャスト、ＭＢＭＳ）、ＣＲＣ（Ｃｙｃｌｉｃ  Ｒｅｄｕｎｄａｎｃｙ  Ｃｈｅｃｋ）結果をＭＢＭＳタイミング管理部１４に報告する。
【００２１】
ＭＢＭＳタイミング管理部１４は、ＭＢＭＳが送信されるタイミング情報やユニキャスト情報のＣＲＣ結果等を管理する。ＭＢＭＳタイミング管理部１４は、上記の管理情報に基づいてＭＢＳＦＮサブフレームにおけるＭＢＭＳ用チャネル推定やユニキャスト用チャネル推定の処理の制御を行う。
【００２２】
図２は本発明の実施の形態に用いるＭＢＳＦＮサブフレームにおいてＭＢＭＳデータが送信された場合の配置例を示す図である。図２において、サブフレームの先頭２  ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル分は、ＰＤＣＣＨ（Ｐｈｙｓｉｃａｌ  Ｄｏｗｎｌｉｎｋ  Ｃｏｎｔｒｏｌ  Ｃｈａｎｎｅｌ）データが送信され、その後にＭＢＳＦＮデータが送信される。
【００２３】
ＰＤＣＣＨの先頭  ＯＦＤＭシンボルには、通常のユニキャスト用リファレンスシグナルが含まれ、ＭＢＳＦＮデータが送信されるＯＦＤＭシンボルの＃１，＃５，＃９には、ＭＢＳＦＮ用のリファレンスシグナルが含まれる。
【００２４】
ユニキャストデータとＭＢＳＦＮデータとでは、基地局（図示せず）の送信ポートが異なり、特にＭＢＳＦＮデータは、複数の基地局からのデータが伝送路上で合成されている可能性もあるため、それぞれ独立したチャネル推定を行う必要がある。
【００２５】
具体的には、先頭２  ＯＦＤＭシンボルの各リソースのチャネル推定値は、先頭  ＯＦＤＭシンボルにマッピングされたユニキャスト用リファレンスシグナルにその共役を乗じたＺＦ（Ｚｅｒｏ  Ｆｏｒｃｉｎｇ）値を利用したチャネル推定値から補間等によって計算され、３番目以降のＯＦＤＭシンボルの各リソースについては、ＭＢＳＦＮ用リファレンスシグナルにその共役を乗じたＺＦ値を利用したチャネル推定値から補間することによりチャネル推定値を得る。
【００２６】
図３は本発明の実施の形態に用いるＭＢＳＦＮサブフレームにおいてユニキャストデータが送信された場合の配置例を示す図である。図３において、サブフレームは、通常のユニキャストサブフレームと同様の構成となり、＃１，＃５，＃８，＃１２のＯＦＤＭシンボルにユニキャスト用リファレンスシグナルが含まれている。
【００２７】
携帯端末装置１では、このユニキャスト用リファレンスシグナルにその共役を乗じたＺＦ値を利用したチャネル推定値から補間等によって該当サブフレーム全てのリソースに対するチャネル推定値を得る。
【００２８】
図４は３ＧＰＰ（３ｒｄ  Ｇｅｎｅｒａｔｉｏｎ  Ｐａｒｔｎｅｒｓｈｉｐ  Ｐｒｏｊｅｃｔ）  Ｒｅｌ９（Ｒｅｌｅａｓｅ  ９）以前のＭＢＳＦＮサブフレームの構成を示す図である。図４において、ＭＢＳＦＮサブフレームは、フレーム（ｆｒａｍｅ）の中で半固定的に割り当てられている。ＭＢＭＳデータが送信されない場合には、ＭＢＳＦＮサブフレームが先頭２  ＯＦＤＭシンボルでＰＤＣＣＨ等の制御データが送信される以外は、データが送信されない。
【００２９】
図５は３ＧＰＰ  Ｒｅｌ１０（Ｒｅｌｅａｓｅ  １０）でのＭＢＳＦＮサブフレームの構成を示す図である。図５において、ＭＢＳＦＮサブフレームは、フレームの中で半固定的に割り当てられている。ＭＢＭＳデータが送信されない場合には、ユニキャストデータが送信される場合がある。
【００３０】
図６は本発明の実施の形態による消費電力削減処理の流れを示すフローチャートである。これら図１〜図６を参照して本発明の実施の形態による消費電力削減処理について説明する。尚、図６に示す処理は、図１に示す携帯端末装置１の図示せぬ制御部［ＣＰＵ（中央処理装置）等］が制御用のプログラムを実施することで実現可能である。
【００３１】
無線通信では、無線伝送路で受ける様々な歪みを補正するため、データチャネルと多重されているリファレンスシグナルとを利用してチャネル推定を行う必要がある。
【００３２】
Ｒｅｌ１０では、ＭＢＳＦＮサブフレームにおいてＭＢＭＳデータが送信されていない場合にユニキャスト用データを送信することが可能となっている。その場合、ＭＢＳＦＮサブフレームであっても、図２に示すＰＤＣＣＨ受信後にＭＢＭＳデータを受信する場合と、図３に示すように、ＰＤＣＣＨ受信後にユニキャストデータを受信する場合が混在する。
【００３３】
本発明の実施の形態では、図６に示すように、消費電力削減のため、携帯端末装置１がＭＢＳＦＮサブフレーム毎に以下のような処理を実施する。
【００３４】
まず、携帯端末装置１は、ＭＢＭＳのスケジューリング情報を保持しているかどうかの判定を行う（図６ステップＳ１）。ＭＢＭＳのスケジューリング情報を保持していた場合（図６ステップＳ１のＹＥＳ）、携帯端末装置１は、該当ＭＢＳＦＮサブフレームにおいてＭＢＭＳがスケジューリングされているかどうかの判定を行う（図６ステップＳ２）。
【００３５】
ＭＢＭＳがスケジューリングされていた場合（図６ステップＳ２のＹＥＳ）、携帯端末装置１は、該当ＭＢＳＦＮサブフレームにおいてユニキャストデータが送信されることがないと判断して、ユニキャスト用チャネル推定を停止する（図６ステップＳ５）。
【００３６】
ＭＢＭＳのスケジューリング情報を保持していなかった場合（図６ステップＳ１のＮＯ）、携帯端末装置１は、前ＭＢＳＦＮサブフレームでのユニキャストデータの受信の有無の判定を行う（図６ステップＳ３）。
【００３７】
ユニキャストデータを受信していた場合（図６ステップＳ３のＹＥＳ）、携帯端末装置１は、ユニキャスト用チャネル推定を実施する（図６ステップＳ６）。ユニキャストデータを受信していなかった場合（図６ステップＳ３のＮＯ）、携帯端末装置１は、該当ＭＢＳＦＮサブフレームの８〜１５サブフレーム前に受信したユニキャストデータでＣＲＣ  ＮＧとなっていて、かつ再送データを未受信のものの有無を判定する（図６ステップＳ４）。
【００３８】
上記のようなユニキャストデータが存在した場合（図６ステップＳ４のＹＥＳ）、携帯端末装置１は、ユニキャスト用チャネル推定を実施する（図６ステップＳ６）。上記のようなユニキャストデータが存在しなかった場合（図６ステップＳ４のＮＯ）、携帯端末装置１は、ユニキャスト用チャネル推定を停止する（図６ステップＳ５）。
【００３９】
このように、本実施の形態では、ＭＢＭＳのサービス受信状況、ユニキャスト受信状況等からＭＢＳＦＮサブフレームにおいてユニキャストデータが送信される可能性を判定し、ユニキャストデータ用チャネル推定処理の制御を行い、消費電力の低減を行っているので、ＭＢＳＦＮデータ送信とユニキャストデータ送信とが混在する場合でも、消費電力の増大を防ぐことができる。
【産業上の利用可能性】
【００４０】
本発明は、３ＧＰＰ  Ｒｅｌ１０で規定されたＬＴＥ仕様に対応した携帯端末装置に適用可能である。
【符号の説明】
【００４１】
１  携帯端末装置
１１  チャネル推定部
１２  制御チャネル復調復号部
１３  ＰＤＳＣＨ・ＰＭＣＨ復調復号部
１４  ＭＢＭＳタイミング管理部
【図１】
2011176511.tif 000003
【図２】
2011176511.tif 000004
【図３】
2011176511.tif 000005
【図４】
2011176511.tif 000006
【図５】
2011176511.tif 000007
【図６】
2011176511.tif 000008